【手続補正書】
【提出日】平成21年4月20日(2009.4.20)
【手続補正１】
【補正対象書類名】明細書
【補正対象項目名】発明の名称
【補正方法】変更
【補正の内容】
【発明の名称】楽曲検索再生装置、楽曲検索再生方法、印象語設定プログラム
【手続補正２】
【補正対象書類名】特許請求の範囲
【補正対象項目名】全文
【補正方法】変更
【補正の内容】
【特許請求の範囲】
【請求項１】
複数の楽曲それぞれが識別子に関連付けられて格納された楽曲格納手段から所望の楽曲を検索して再生手段により再生する楽曲検索再生装置において、
楽曲に関する印象を表現する複数の印象語が、相互に関連した意味を有する印象語の集合である印象軸毎に所定の順位付けがなされて格納された印象設定格納手段と、
前記複数の楽曲それぞれについて、各楽曲に関連する前記印象語が該楽曲に対応する前記識別子に関連付けられて格納された印象データ格納手段と、
前記印象設定格納手段に格納された複数の印象語から、一の印象語を設定する設定手段と、
前記設定された印象語に対応する一の識別子を前記印象データ格納手段から取得して、この一の識別子に関連付けられた楽曲を前記楽曲格納手段から読み出す再生曲選出手段と、
前記設定されている印象語と、その印象語を要素とする印象軸とに基づいて、別の印象語に変更するための１つ又は複数のコマンドを生成するコマンド作成手段と、
前記設定手段は、前記複数のコマンドの一のコマンドが入力されると、前記印象設定格納手段から前記入力されたコマンドに対応した印象語を取得して、現在設定されている印象語に替えて設定する、
ことを特徴とする楽曲検索再生装置。
【請求項２】
前記コマンド作成手段が、前記設定手段に設定されている印象語と、その印象語を要素とする印象軸とに基づき前記印象設定格納手段を参照して、前記印象軸における前記印象語の付与されている順位に対して前後少なくとも一方の順位の印象語を利用者に選択させるための１つ又は複数コマンドを生成するようにしたことを特徴とする請求項１に記載の楽曲検索再生装置。
【請求項３】
前記コマンド作成手段が、前記設定手段に設定されている印象語と、その印象語を要素とする印象軸に基づき前記印象設定格納手段を参照して、前記印象軸以外の印象軸を利用者に選択させるための１つ又は複数のコマンドを生成するようにしたことを特徴とする請求項１に記載の楽曲検索再生装置。
【請求項４】
前記楽曲格納手段に格納されている複数の楽曲それぞれについての書誌情報が該楽曲に対応する前記識別子に関連付けられて格納された書誌情報格納手段と、
所定の再生条件を格納するための再生条件格納手段と、
前記識別子に基づいて前記書誌情報格納手段から該識別子に関連付けられた書誌情報を取得する書誌情報取得手段とを更に備え、
前記コマンド作成手段が、書誌情報に基づく再生条件を指定させるための１つ又は複数のコマンドを生成し、
前記複数のコマンドの一のコマンドが入力されると、前記設定手段は、前記再生されている楽曲の識別子に基づいて、前記書誌情報取得手段によって前記書誌情報格納手段から該識別子に関連付けられた書誌情報を取得させるとともに、この取得された書誌情報と前記入力されたコマンドとに基づいて再生条件を生成して前記再生条件格納手段に格納し、
前記再生曲選出手段が、前記格納されている再生条件とこの再生条件に対応する一の識別子とを前記書誌情報格納手段から取得して、この一の識別子に関連付けられた楽曲を前記楽曲格納手段から読み出し、
前記再生手段が、前記読み出された楽曲を前記取得された再生条件に基づいて再生するようにしたことを特徴とする請求項１に記載の楽曲検索再生装置。
【請求項５】
複数の楽曲それぞれが識別子に関連付けられて格納された楽曲格納手段から所望の楽曲を検索して再生手段により再生する楽曲検索再生装置において、
前記楽曲格納手段に格納されている複数の楽曲それぞれについての音響特徴量情報が該
楽曲に対応する前記識別子に関連付けられて格納された音響特徴量格納手段と、
一の識別子に関連付けられた第１の音響特徴量情報と該識別子以外の識別子にそれぞれ関連付けられた第２の音響特徴量情報とを前記音響特徴量格納手段から読み出して、前記第１及び第２の音響特徴量情報の距離値をそれぞれ算出する距離算出手段と、
所定の再生条件を格納するための再生条件格納手段と、
前記再生手段で再生する楽曲に対応した音響特徴量情報を前記音響特徴量格納手段から読み出して初期値として設定する設定手段と、
前記再生手段で再生されている楽曲に類似した所定数の楽曲を再生するように利用者に要求させるための類似曲再生コマンドを生成するコマンド作成手段と、
前記設定された音響特徴量情報に対応する一の識別子に関連付けられた楽曲を前記楽曲格納手段から読み出す再生曲選出手段とを備え、
前記類似曲再生コマンドが入力されると、前記設定手段は、前記再生されている楽曲の識別子に関連付けられた前記第１の音響特徴量情報と該識別子以外の識別子にそれぞれ関連付けられた前記第２の音響特徴量情報とを前記音響特徴量格納手段から読み出して、前記距離算出手段によって前記第１及び第２の音響特徴量情報の距離値をそれぞれ計算させた後、これらの距離値の昇順又は降順に対応させて前記所定数の楽曲の識別子を選択して前記再生条件格納手段に格納し、
前記再生曲選出手段が、前記書誌情報格納手段から再生条件と識別子とを取得して、この取得された識別子に関連付けられた楽曲を前記楽曲格納手段から読出し、
前記再生手段が、前記読み出された楽曲を前記取得された再生条件に基づいて再生するようにしたことを特徴とする楽曲検索再生装置。
【請求項６】
前記楽曲格納手段に格納されている複数の楽曲それぞれについての利用者の嗜好度合いを表した嗜好情報が該楽曲に対応する前記識別子に関連付けられて格納された嗜好情報格納手段を更に備え、
前記再生曲選出手段が、識別子を取得する際に、前記嗜好情報格納手段を参照して予め定められた所定値よりも小さな値の嗜好情報に対応する識別子を除外して前記識別子を取得するか、又は嗜好情報の値が大きな楽曲ほど取得確率が高くなるように前記識別子を取得するようにしたことを特徴とする請求項１〜請求項５のうちいずれか一に記載の楽曲検索再生装置。
【請求項７】
予め、前記複数の印象語とこれら印象語の評価値とがそれぞれ関連付けられて格納された評価値格納手段と、
同一の印象語に対応した楽曲が連続して再生された回数、又は同一の印象語に対応した楽曲が連続して再生された時間に基づき、前記再生された回数又は時間が予め定められている所定値以上となった場合に、前記評価値格納手段に格納されている前記同一の印象語に対応する評価値を増加させる計算を実行する評価値算出手段とを更に備え、
前記設定手段が、前記計算結果に基づく評価値を前記評価値格納手段に格納するとともに、前記入力されたコマンドと当該設定手段に設定されている印象語とに基づき、前記評価値格納手段に格納されている前記印象語に対応する評価値を用いて一の印象語を選択するようにしたことを特徴とする請求項１に記載の楽曲検索再生装置。
【請求項８】
予め、第１及び第２の印象軸とこれらの評価値とが関連付けられて格納されている評価値格納手段と、
同一の印象軸に対応した楽曲を連続して再生された回数、又は同一の印象軸に対応した楽曲が連続して再生された時間に基づき、前記再生された回数又は時間が予め定められている所定値以上となった場合に、時間順序を表す情報と前記同一の印象軸とを格納する印象履歴格納手段と、
前記印象履歴格納手段から時間順序が隣り合わせである２つの印象軸を読み出して、この時間順序が先である印象軸を前記評価値格納手段の前記第１の印象軸に対応させるとともに、時間順序が後である印象軸を前記第２の印象軸に対応させて、対応する評価値を増加させる計算を実行する評価値算出手段とを更に備え、
前記設定手段が、前記計算結果に基づく評価値を前記評価値格納手段に格納するとともに、前記入力されたコマンドと、当該設定手段に設定されている印象語を要素とする印象軸とに基づき、前記評価値格納手段に格納されている前記第１及び第２の印象軸に対応する評価値を用いて一の印象軸を選択するようにしたことを特徴とする請求項１に記載の楽曲検索再生装置。
【請求項９】
楽曲に関する印象を表現する複数の印象語であって、相互に関連した意味を有する印象語の集合である印象軸毎に所定の順位付けがなされた複数の印象語から、一の印象語を設定するステップと、
前記設定された印象語に対応する楽曲を読み出すステップと、
前記設定されている印象語と、その印象語を要素とする印象軸とに基づいて、別の印象語に変更するための１つ又は複数のコマンドを生成するステップと、
前記複数のコマンドの一のコマンドが生成されると、前記入力されたコマンドに対応した印象語を取得して、現在設定されている印象語に替えて設定するステップと、
を有する印象語設定方法。
【請求項１０】
楽曲に関する印象を表現する複数の印象語であって、相互に関連した意味を有する印象語の集合である印象軸毎に所定の順位付けがなされた複数の印象語から、一の印象語を設定するステップと、
前記設定された印象語に対応する楽曲を読み出すステップと、
前記設定されている印象語と、その印象語を要素とする印象軸とに基づいて、別の印象語に変更するための１つ又は複数のコマンドを生成するステップと、
前記複数のコマンドの一のコマンドが生成されると、前記入力されたコマンドに対応した印象語を取得して、現在設定されている印象語に替えて設定するステップと、
を有するコンピュータに実行させる印象語設定方法プログラム。
【手続補正３】
【補正対象書類名】明細書
【補正対象項目名】０００１
【補正方法】変更
【補正の内容】
【０００１】
本発明は、楽曲検索再生装置、楽曲検索再生方法、印象語設定プログラムに関する。
【手続補正４】
【補正対象書類名】明細書
【補正対象項目名】０００７
【補正方法】変更
【補正の内容】
【０００７】
本発明は上記問題を鑑みてなされたものであり、その目的は、利用者が再生中の楽曲を判断基準としながら次に再生する楽曲に関する条件をあらわすコマンドを入力することで、複雑な操作を必要とせずに利用者の気分に合った楽曲を選曲できる楽曲検索再生装置、楽曲検索再生方法、印象語設定プログラムを提供するものである。
【手続補正５】
【補正対象書類名】明細書
【補正対象項目名】０００８
【補正方法】変更
【補正の内容】
【０００８】
上記の課題を解決するために、本発明は、複数の楽曲それぞれが識別子に関連付けられて格納された楽曲格納手段から所望の楽曲を検索して再生手段により再生する楽曲検索再生装置において、楽曲に関する印象を表現する複数の印象語が、相互に関連した意味を有する印象語の集合である印象軸毎に所定の順位付けがなされて格納された印象設定格納手段と、前記複数の楽曲それぞれについて、各楽曲に関連する前記印象語が該楽曲に対応する前記識別子に関連付けられて格納された印象データ格納手段と、前記印象設定格納手段に格納された複数の印象語から、一の印象語を設定する設定手段と、前記設定された印象語に対応する一の識別子を前記印象データ格納手段から取得して、この一の識別子に関連付けられた楽曲を前記楽曲格納手段から読み出す再生曲選出手段と、前記設定されている印象語と、その印象語を要素とする印象軸とに基づいて、別の印象語に変更するための１つ又は複数のコマンドを生成するコマンド作成手段とを有し、前記設定手段は、前記複数のコマンドの一のコマンドが入力されると、前記印象設定格納手段から前記入力されたコマンドに対応した印象語を取得して、現在設定されている印象語に替えて設定する、ことを特徴とする楽曲検索再生装置である。
ここで、前記コマンド作成手段が、前記設定手段に設定されている印象語と、その印象語を要素とする印象軸とに基づき前記印象設定格納手段を参照して、前記印象軸における前記印象語の付与されている順位に対して前後少なくとも一方の順位の印象語を利用者に選択させるための１つ又は複数コマンドを生成するようにしても良い。
また、前記コマンド作成手段が、前記設定手段に設定されている印象語と、その印象語を要素とする印象軸に基づき前記印象設定格納手段を参照して、前記印象軸以外の印象軸を利用者に選択させるための１つ又は複数のコマンドを生成するようにしても良い。
また、前記楽曲格納手段に格納されている複数の楽曲それぞれについての書誌情報が該楽曲に対応する前記識別子に関連付けられて格納された書誌情報格納手段と、所定の再生条件を格納するための再生条件格納手段と、前記識別子に基づいて前記書誌情報格納手段から該識別子に関連付けられた書誌情報を取得する書誌情報取得手段とを更に備え、前記コマンド作成手段が、書誌情報に基づく再生条件を指定させるための１つ又は複数のコマンドを生成し、前記複数のコマンドの一のコマンドが入力されると、前記設定手段は、前記再生されている楽曲の識別子に基づいて、前記書誌情報取得手段によって前記書誌情報格納手段から該識別子に関連付けられた書誌情報を取得させるとともに、この取得された書誌情報と前記入力されたコマンドとに基づいて再生条件を生成して前記再生条件格納手段に格納し、前記再生曲選出手段が、前記格納されている再生条件とこの再生条件に対応する一の識別子とを前記書誌情報格納手段から取得して、この一の識別子に関連付けられた楽曲を前記楽曲格納手段から読み出し、前記再生手段が、前記読み出された楽曲を前記取得された再生条件に基づいて再生するようにしても良い。
また、次の発明は、複数の楽曲それぞれが識別子に関連付けられて格納された楽曲格納手段から所望の楽曲を検索して再生手段により再生する楽曲検索再生装置において、前記楽曲格納手段に格納されている複数の楽曲それぞれについての音響特徴量情報が該楽曲に対応する前記識別子に関連付けられて格納された音響特徴量格納手段と、一の識別子に関連付けられた第１の音響特徴量情報と該識別子以外の識別子にそれぞれ関連付けられた第２の音響特徴量情報とを前記音響特徴量格納手段から読み出して、前記第１及び第２の音響特徴量情報の距離値をそれぞれ算出する距離算出手段と、所定の再生条件を格納するための再生条件格納手段と、前記再生手段で再生する楽曲に対応した音響特徴量情報を前記音響特徴量格納手段から読み出して初期値として設定する設定手段と、前記再生手段で再生されている楽曲に類似した所定数の楽曲を再生するように利用者に要求させるための類似曲再生コマンドを生成するコマンド作成手段と、前記設定された音響特徴量情報に対応する一の識別子に関連付けられた楽曲を前記楽曲格納手段から読み出す再生曲選出手段とを備え、前記類似曲再生コマンドが入力されると、前記設定手段は、前記再生されている楽曲の識別子に関連付けられた前記第１の音響特徴量情報と該識別子以外の識別子にそれぞれ関連付けられた前記第２の音響特徴量情報とを前記音響特徴量格納手段から読み出して、前記距離算出手段によって前記第１及び第２の音響特徴量情報の距離値をそれぞれ計算させた後、これらの距離値の昇順又は降順に対応させて前記所定数の楽曲の識別子を選択して前記再生条件格納手段に格納し、前記再生曲選出手段が、前記書誌情報格納手段から再生条件と識別子とを取得して、この取得された識別子に関連付けられた楽曲を前記楽曲格納手段から読出し、前記再生手段が、前記読み出された楽曲を前記取得された再生条件に基づいて再生するようにしたことを特徴とする楽曲検索再生装置である。
ここで、前記楽曲格納手段に格納されている複数の楽曲それぞれについての利用者の嗜好度合いを表した嗜好情報が該楽曲に対応する前記識別子に関連付けられて格納された嗜好情報格納手段を更に備え、前記再生曲選出手段が、識別子を取得する際に、前記嗜好情報格納手段を参照して予め定められた所定値よりも小さな値の嗜好情報に対応する識別子を除外して前記識別子を取得するか、又は嗜好情報の値が大きな楽曲ほど取得確率が高くなるように前記識別子を取得するようにしても良い。
また、予め、前記複数の印象語とこれら印象語の評価値とがそれぞれ関連付けられて格納された評価値格納手段と、同一の印象語に対応した楽曲が連続して再生された回数、又は同一の印象語に対応した楽曲が連続して再生された時間に基づき、前記再生された回数又は時間が予め定められている所定値以上となった場合に、前記評価値格納手段に格納されている前記同一の印象語に対応する評価値を増加させる計算を実行する評価値算出手段とを更に備え、前記設定手段が、前記計算結果に基づく評価値を前記評価値格納手段に格納するとともに、前記入力されたコマンドと当該設定手段に設定されている印象語とに基づき、前記評価値格納手段に格納されている前記印象語に対応する評価値を用いて一の印象語を選択するようにしても良い。
また、予め、第１及び第２の印象軸とこれらの評価値とが関連付けられて格納されている評価値格納手段と、同一の印象軸に対応した楽曲を連続して再生された回数、又は同一の印象軸に対応した楽曲が連続して再生された時間に基づき、前記再生された回数又は時間が予め定められている所定値以上となった場合に、時間順序を表す情報と前記同一の印象軸とを格納する印象履歴格納手段と、前記印象履歴格納手段から時間順序が隣り合わせである２つの印象軸を読み出して、この時間順序が先である印象軸を前記評価値格納手段の前記第１の印象軸に対応させるとともに、時間順序が後である印象軸を前記第２の印象軸に対応させて、対応する評価値を増加させる計算を実行する評価値算出手段とを更に備え、前記設定手段が、前記計算結果に基づく評価値を前記評価値格納手段に格納するとともに、前記入力されたコマンドと、当該設定手段に設定されている印象語を要素とする印象軸とに基づき、前記評価値格納手段に格納されている前記第１及び第２の印象軸に対応する評価値を用いて一の印象軸を選択するようにしても良い。
また、次の発明は、楽曲に関する印象を表現する複数の印象語であって、相互に関連した意味を有する印象語の集合である印象軸毎に所定の順位付けがなされた複数の印象語から、一の印象語を設定するステップと、前記設定された印象語に対応する楽曲を読み出すステップと、前記設定されている印象語と、その印象語を要素とする印象軸とに基づいて、別の印象語に変更するための１つ又は複数のコマンドを生成するステップと、前記複数のコマンドの一のコマンドが生成されると、前記入力されたコマンドに対応した印象語を取得して、現在設定されている印象語に替えて設定するステップと、を有する印象語設定方法である。
また、次の発明は、楽曲に関する印象を表現する複数の印象語であって、相互に関連した意味を有する印象語の集合である印象軸毎に所定の順位付けがなされた複数の印象語から、一の印象語を設定するステップと、前記設定された印象語に対応する楽曲を読み出すステップと、前記設定されている印象語と、その印象語を要素とする印象軸とに基づいて、別の印象語に変更するための１つ又は複数のコマンドを生成するステップと、前記複数のコマンドの一のコマンドが生成されると、前記入力されたコマンドに対応した印象語を取得して、現在設定されている印象語に替えて設定するステップと、を有するコンピュータに実行させる印象語設定方法プログラムである。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】０１５７
【補正方法】変更
【補正の内容】
【０１５７】
なお、本実施例による楽曲検索再生装置は、印象軸及び印象語を用いることなく音響特徴量のみを検索のパラメータとして用いて構成することができる。
以上のように、「何か音楽を聴きたいのに、何を聴きたいかがわからない」といった漠然とした心理状態であっても、再生されている楽曲を基準にして「なんとなく気分に合わない」、「もう少し激しい曲を聴きたい」、「この曲は好き」、「この曲は嫌い」といった判断をすることは比較的容易であることが多い。本発明においては、このような再生曲に対する利用者のフィードバックを活用して次に再生する楽曲を決定し、さらにその楽曲に対するフィードバックを受け付けるといったことを連続的に行うため、利用者が所望楽曲に対して極めて漠然としたイメージしか有していない場合においても、一連のインタラクションを通して所望の楽曲を容易に探すことができる。
また従来方法では、利用者は画面に表示された情報だけを頼りに選曲する必要があったのに対して、本発明においては、利用者は、画面情報だけでなく現在再生中の楽曲を基準に判断・操作をすることができる。このため、画面に表示する必要のある情報を少なくすることが可能であり、表示機器の小さい携帯電話やポータブルプレイヤー、車載機等でも十分に利用が可能である。